(57)【要約】      （修正有）【課題】印刷物に掲載商品の商品情報へ直接アクセスするＵＲＬアドレスもしくは二次元コードを印刷することで、商品情報を容易に閲覧可能な広告媒体を提供する。【解決手段】広告媒体５０によれば、消費者が広告１０のＵＲＬアドレス３２ａもしくは二次元コード３２ｂにアクセスすると、目的外のページにアクセスすることなく、直接商品情報３６ａ、３６ｂを表示する。よって、消費者は目的の商品情報を探す手間が省け、ストレスを感じること無く商品情報３６ａ、３６ｂを閲覧することができる。このため、消費者は容易に商品情報３６ａ、３６ｂにアクセスでき、広告主は利益につながる大きな広告効果を得ることができる。【選択図】図１
0003153021.tif 000002
【実用新案登録請求の範囲】
【請求項１】
商品の広告と当該商品の商品情報にインターネットを介して直接アクセスするためのＵＲＬアドレス及び二次元コードの双方もしくは一方が印刷された印刷物と、
前記商品情報を記録する記録サーバと、
を有することを特徴とする広告媒体。
【考案の詳細な説明】
【技術分野】
【０００１】
本発明は、印刷物に印刷されたＵＲＬアドレスもしくは二次元コードにより掲載商品の商品情報にアクセス可能な広告媒体に関するものである。
【背景技術】
【０００２】
従来より、商品等の広告媒体として最も一般的なものに紙を用いた広告がある。しかしながら、このような紙広告は紙面の限られたスペースに商品の広告を掲載するものであるから、その情報量にはおのずと限界がある。そこで近年、紙広告に商品広告と併せてインターネット上のＵＲＬ（Ｕｎｉｆｏｒｍ  Ｒｅｓｏｕｒｃｅ  Ｌｏｃａｔｏｒ）アドレスや携帯電話等の読み取り機能により所定のＷｅｂページにアクセスするＱＲコード（登録商標）などの二次元コードを印刷し、インターネットサイト上で掲載商品の更なる商品情報を提供することが多く行われている。このような広告媒体の例として下記［特許文献１］が挙げられる。
【先行技術文献】
【特許文献】
【０００３】
【特許文献１】特開２００９−２０７５６号公報
【考案の概要】
【考案が解決しようとする課題】
【０００４】
しかしながら、紙広告に印刷されているＵＲＬアドレスや二次元コードの多くは、掲載商品の商品情報に直接アクセスするものではなく、広告主のホームページにアクセスするものであり、広告主のホームページにアクセスした消費者はこのホームページ中の多くの情報から掲載商品の情報もしくは情報ページへのリンクを探す必要がある。そして、広告主のホームページの表示画面はまちまちであり、また、広告主によっては掲載商品の情報ページを設けていない場合もある。このため、特に紙面上の複数の掲載商品を順次見比べる場合などでは、商品情報の探索に必要以上の労力、時間等がかかり消費者がストレスを感じることとなる。このことは、消費者が安易に紙広告のＵＲＬアドレスや二次元コードにアクセスすることを躊躇する原因となり、広告主が期待する広告効果を得ることができない可能性がある。
【０００５】
本考案は上記事情に鑑みてなされたものであり、印刷物に掲載商品の商品情報へ直接アクセスするＵＲＬアドレスもしくは二次元コードを印刷することで、商品情報を容易に閲覧可能な広告媒体を提供することを目的とする。
【課題を解決するための手段】
【０００６】
本考案は、
商品の広告１０と当該商品の商品情報３６ａ、３６ｂにインターネット２４を介して直接アクセスするためのＵＲＬアドレス３２ａ及び二次元コード３２ｂの双方もしくは一方が印刷された印刷物３０と、
前記商品情報３６ａ、３６ｂを記録する記録サーバ３４と、を有することを特徴とする広告媒体５０を提供することにより、上記課題を解決する。
【考案の効果】
【０００７】
本考案に係る広告媒体によれば、印刷物に掲載商品の商品情報へ直接アクセスするＵＲＬアドレスもしくは二次元コードを印刷することで、消費者が掲載商品の商品情報をストレス無く容易に閲覧することができる。
【図面の簡単な説明】
【０００８】
【図１】本考案に係る広告媒体の構成を示す図である。
【図２】本考案に係る広告媒体の動作を説明する図である。
【図３】商品情報の表示画面の例を示す図である。
【考案を実施するための形態】
【０００９】
本考案に係る広告媒体の実施の形態について図面に基づいて説明する。図１に示す本考案に係る広告媒体５０は、印刷物３０と記録サーバ３４とで主に構成されている。
【００１０】
広告媒体５０を構成する印刷物３０には、販売する商品の広告１０が印刷されている。尚、図１では印刷物３０に複数の広告１０を印刷した例を用いているが、広告１０は一つでも構わない。また、印刷物３０としては、新聞折込チラシや新聞、雑誌、タウン誌、中古車情報誌、就職情報誌、ダイレクトメール、その他のチラシ等、広告１０が印刷可能な紙面であれば如何なるものを用いても良い。尚、ここでの商品とは、物品に限らず例えば、不動産、旅行商品、サービス、就職情報、店舗案内、イベント情報等、広告主が広告を依頼したものを商品とする。
【００１１】
印刷物３０に印刷された広告１０には、例えば商品を紹介する写真、イラスト等の紹介画像１０ａと、商品の紹介文１０ｂと、商品の商品情報３６ａにインターネット２４を介して直接アクセスするＵＲＬアドレス３２ａと、携帯電話等の読み取り機能によりインターネット２４を介して携帯端末用の商品情報３６ｂに直接アクセスする二次元コード３２ｂと、を有している。尚、広告１０にはＵＲＬアドレス３２ａ及び二次元コード３２ｂの双方もしくはいずれか一方を有していれば、紹介画像１０ａ及び紹介文１０ｂは無くとも、それ以外の情報を印刷しても良い。また、図１に示す広告１０は一例であるから、広告１０の記載内容及び配置等はどのようなものとしても構わない。
【００１２】
また、広告媒体５０は、広告１０に印刷されたＵＲＬアドレス３２ａ及び二次元コード３２ｂとリンクした商品情報３６ａ、３６ｂを記録する記録サーバ３４を備えている。この記録サーバ３４及び商品情報３６ａ、３６ｂは基本的に印刷物３０の作成者側（広告媒体５０の管理者側）が管理するものである。
【００１３】
次に、本考案に係る広告媒体５０の動作を説明する。先ず、広告主から広告１０の掲載依頼を受けると、印刷物３０の作成者は依頼された内容に沿った広告１０を印刷物３０に印刷する。このとき、広告１０には商品情報３６ａ、３６ｂにインターネット２４を介してアクセス可能なＵＲＬアドレス３２ａ及び二次元コード３２ｂの双方もしくはいずれか一方を印刷する。また、記録サーバ３４に広告主が依頼した商品情報３６ａ、３６ｂを記録させる。尚、記録サーバ３４には、広告１０にＵＲＬアドレス３２ａのみが印刷された場合には商品情報３６ａのみが記録され、二次元コード３２ｂのみが印刷された場合には商品情報３６ｂのみが記録される。
【００１４】
次に、広告１０の印刷された印刷物３０が所定のルートを通して刊行もしくは配布される。
【００１５】
次に、消費者が印刷物３０の広告１０を視認し、広告１０の商品の更なる商品情報３６ａ、３６ｂを閲覧したい場合には、図２に示すように、消費者のパーソナルコンピュータ２２に広告１０のＵＲＬアドレス３２ａを入力する。また、消費者の携帯電話等の携帯端末２０の読み取り機能を用いて広告１０の二次元コード３２ｂを読み取る。これにより、パーソナルコンピュータ２２のモニタ２２ａもしくは携帯端末２０の表示手段２０ａに記録サーバ３４に記録された商品情報３６ａもしくは携帯端末２０用の商品情報３６ｂがインターネット２４を通して広告主のホームページ等にアクセスすることなく直接表示される。
【００１６】
次に、図３を用いて商品情報３６ａ、３６ｂの表示内容の例を説明する。尚、図３は表示内容の一例であるから、表示内容、表示画面構成はどのようなものとしても良い。また、商品情報３６ａ、３６ｂの表示画面構成は広告主の依頼により適宜変更しても構わないが、消費者の利便性を考慮して基本構成は統一することが好ましい。
【００１７】
図３（ａ）は広告１０の商品が不動産物件の場合の例である。商品情報３６ａ、３６ｂの表示画面には、商品情報３６ａ、３６ｂを表示する表示部４０と、商品情報３６ａ、３６ｂを選択するためのタグ４２と、広告主のホームページもしくは連絡先へのリンクするリンクタグ４４とを備えている。尚、アクセス直後において、表示部４０は所定の初期画像を表示する。そして、消費者が例えばタグ４２の“キッチン”を選択すると、表示部４０は広告１０の商品（物件）の商品情報３６ａ、３６ｂのうちキッチンの静止画像を表示する。同様に、消費者がタグ４２の“リビング”、“洋室１”、・・・、“外観”、“眺望”、“周辺地図”を選択すると、表示部４０は商品情報３６ａ、３６ｂのうち選択した内容の静止画像をそれぞれ表示する。尚、表示内容としては静止画像の他、動画としても良い。ここで例えば消費者がタグ４２の“パノラマ”を選択すると、表示部４０は広告１０の商品（物件）の中央から当該商品（物件）の内部を徐々に３６０°一周する動画を表示する。
【００１８】
また、広告１０の商品が飲食店店舗の場合、タグ４２は例えば図３（ｂ）に示すのように、広告主が依頼したお勧めメニューの商品情報３６ａ、３６ｂを表示するための“おすすめ１”、“おすすめ２”、・・・、広告主が依頼した人気メニューランキングの商品情報３６ａ、３６ｂを表示するための“人気ランキング１”、“人気ランキング２”、・・・等となる。
【００１９】
また、広告１０の商品が美容院店舗の場合、タグ４２は例えば店舗内装やスタッフ紹介等となり、中古車情報であればタグ４２は例えば中古車の前後左右からの撮影画像、内装等の撮影画像となる。
【００２０】
尚、前述のように商品情報３６ａ、３６ｂの内容は広告主の依頼内容により変化する。
【００２１】
そして、消費者が広告１０の商品の購入を検討したい場合にはリンクタグ４４の“お問い合わせ”タグを選択する。ここで初めて消費者は広告主のホームページもしくは広告主の連絡先ページにアクセスする。
【００２２】
尚、商品情報３６ａ、３６ｂは、広告主が指定した期間が経過したり広告１０の商品が完売もしくは販売終了したことを広告主から通知されると、基本的に印刷物３０の作成者が該当する商品情報３６ａ、３６ｂを削除もしくは販売終了等の表示に更新する。
【００２３】
以上のように、本考案に係る広告媒体５０によれば、消費者が広告１０のＵＲＬアドレス３２ａもしくは二次元コード３２ｂにアクセスすると、目的外のページにアクセスすることなく、直接商品情報３６ａ、３６ｂを表示する。よって、消費者は目的の商品情報を探す手間が省け、ストレスを感じること無く商品情報３６ａ、３６ｂを閲覧することができる。このため、消費者は安易な気持ちで商品情報３６ａ、３６ｂにアクセスし、広告主の利益につながる大きな広告効果を得ることができる。
【００２４】
また、本考案に係る広告媒体５０は、印刷物３０の広告１０がそれ自体広告として機能すると同時に見出しもしくは目次のように機能する。そして、消費者が広告１０に印刷されたＵＲＬアドレス３２ａもしくは二次元コード３２ｂを使用して記録サーバ３４の商品情報３６ａ、３６ｂにアクセスすることで、商品情報３６ａ、３６ｂの内容をページをめくるように閲覧することができる。即ち、本考案に係る広告媒体５０は、見出しもしくは目次機能を備えた印刷物３０と記録サーバ３４の商品情報３６ａ、３６ｂとが相まって、膨大な情報量を有するあたかも一冊の広告誌のように機能し、複数のページを持つ３次元的な立体チラシ(立体広告)とも言うべきものとなるのである。
【００２５】
尚、本考案は本考案の要旨を逸脱しない範囲で変更して実施することが可能である。
【符号の説明】
【００２６】
１０    広告
２４    インターネット
３０    印刷物
３２ａ  ＵＲＬアドレス
３２ｂ  二次元コード
３４    記録サーバ
３６ａ、３６ｂ    商品情報
５０    広告媒体
【図１】
0003153021.tif 000003
【図２】
0003153021.tif 000004
【図３】
0003153021.tif 000005